(57)【特許請求の範囲】
【請求項１】
筆記具を用いた操作者の被筆記媒体への筆記動作に伴って移動する、前記筆記具の複数の位置情報を取得する位置取得手段と、
前記位置取得手段で取得された前記複数の位置情報を用いて、前記筆記具による前記被筆記媒体への記載に対応した画像データを生成するデータ生成手段と、
前記データ生成手段により生成された画像データを一時的に記憶する記憶手段と、
前記画像データを外部記憶装置へ記憶させるために通信により送信する通信手段と、
を有する電子筆記装置であって、
前記外部記憶装置に備えられた複数の格納先を選択するための選択記入欄、及び、前記格納先への格納指示を行うための格納指示記入欄、を備えた前記被筆記媒体を、所定の姿勢で位置決めしつつ保持する保持手段と、
前記被筆記媒体が前記保持手段に保持された状態で前記位置取得手段により取得された前記位置情報に基づき、前記保持手段に保持された前記被筆記媒体に備えられる、前記格納指示記入欄への記入を検出する第１検出手段、及び、いずれかの前記選択記入欄が選択されたかを検出する第２検出手段と、
前記第１検出手段で前記格納指示記入欄への記入が検出され、かつ、前記第２検出手段で前記いずれかの選択記入欄への選択記入が検出されたことを契機に、前記データ生成手段により生成され前記記憶手段に記憶された画像データを、前記第２検出手段で検出された前記選択記入欄に対応した前記複数の格納先のうちいずれか１つへ選択的に記憶するための選択用送信処理を行うように、前記通信手段を制御する送信制御手段と、
を有し、
前記保持手段は、
前記選択記入欄及び前記格納指示記入欄をそれぞれ備えた複数の筆記領域に区分された前記被筆記媒体を保持し、
前記第１検出手段は、
前記保持手段に保持された前記被筆記媒体に備えられる、前記格納指示記入欄への記入を、各筆記領域ごとに検出し、
前記第２検出手段は、
前記保持手段に保持された前記被筆記媒体に備えられる、前記選択記入欄への選択記入を、各筆記領域ごとに検出し、
前記送信制御手段は、
前記画像データを前記選択記入欄に対応した１つの前記格納先に記憶するための前記選択用送信処理を、各筆記領域ごとに行うように、前記通信手段を制御する
ことを特徴とする電子筆記装置。
【請求項２】
請求項１記載の電子筆記装置において、
前記保持手段は、
前記選択記入欄及び前記格納指示記入欄に加え、前記画像データを削除するための削除指示記入欄をさらに備えた前記被筆記媒体を保持し、
かつ、
前記被筆記媒体が前記保持手段に保持された状態で前記位置取得手段により取得された前記位置情報に基づき、前記保持手段に保持された前記被筆記媒体に備えられる、前記削除指示記入欄への記入を検出する第３検出手段と、
前記第３検出手段で前記削除指示記入欄への記入が検出されたことを契機に、前記データ生成手段により生成され前記記憶手段に記憶された前記画像データを消去処理する消去処理手段と、
を有することを特徴とする電子筆記装置。
【請求項３】
請求項１又は請求項２記載の電子筆記装置において、
互いに隣接する複数の前記筆記領域が、前記第１検出手段で前記格納指示記入欄への記入が検出されかつ前記第２検出手段で前記いずれかの選択記入欄への選択記入が検出されなかった１つの筆記領域、若しくは、前記第２検出手段で前記いずれかの選択記入欄への選択記入が検出されかつ前記第１検出手段で前記格納指示記入欄への記入が検出されなかった１つの筆記領域、を含む場合に、当該１つの筆記領域に隣接する他の前記筆記領域における前記選択記入欄又は前記格納指示記入欄への記入結果から、当該１つの筆記領域に対応した前記画像データに対して行うべき処理を推定する推定手段を有し、
送信制御手段又は消去処理手段が、
前記推定手段による推定結果に応じた選択用送信処理又は消去処理を行う
ことを特徴とする電子筆記装置。
【発明の詳細な説明】
【技術分野】
【０００１】
本発明は、操作者による筆記内容を電子データ化する電子筆記装置に関する。
【背景技術】
【０００２】
操作者が筆記具を用いて筆記した内容を電子データ化する電子筆記装置（筆記入力装置）が既に知られている（例えば、特許文献１参照）。この従来技術では、被筆記媒体（普通紙）が、保持手段（手書き入力部のステージ）上に載置される。この状態で、操作者が、筆記具（電磁ペン）を用いて被筆記媒体に対し所望の筆記を行うと、手書き入力部の検出回路が上記筆記具の位置情報を検出し、複数の位置情報に基づき上記被筆記媒体への記載に対応したデータ（加筆データ）が生成される。筆記作業が終了すると、上記被筆記媒体への記載に対応したデータが、通信インタフェースを介して外部記憶装置（パソコン）に送信され、保存される。
【先行技術文献】
【特許文献】
【０００３】
【特許文献１】特開２００１−１４７７７１号公報
【発明の概要】
【発明が解決しようとする課題】
【０００４】
上記のようにして筆記内容を電子データ化する場合、操作者によっては、多種多様な内容を被筆記媒体に筆記する場合がある。このような場合に、電子データ化された筆記内容を、操作者が意図するような分類に自動的に仕分けて保存することができれば非常に便利である。しかしながら、上記従来技術では、そのような点までは特に配慮されていなかった。
【０００５】
本発明の目的は、操作者による筆記内容を、操作者の意図する分類で仕分けして保存することができ、利便性を向上できる電子筆記装置を提供することにある。
【課題を解決するための手段】
【０００６】
上記目的を達成するために、本願発明は、筆記具を用いた操作者の被筆記媒体への筆記動作に伴って移動する、前記筆記具の複数の位置情報を取得する位置取得手段と、前記位置取得手段で取得された前記複数の位置情報を用いて、前記筆記具による前記被筆記媒体への記載に対応した画像データを生成するデータ生成手段と、前記データ生成手段により生成された画像データを一時的に記憶する記憶手段と、前記画像データを外部記憶装置へ記憶させるために通信により送信する通信手段と、を有する電子筆記装置であって、前記外部記憶装置に備えられた複数の格納先を選択するための選択記入欄、及び、前記格納先への格納指示を行うための格納指示記入欄、を備えた前記被筆記媒体を、所定の姿勢で位置決めしつつ保持する保持手段と、前記被筆記媒体が前記保持手段に保持された状態で前記位置取得手段により取得された前記位置情報に基づき、前記保持手段に保持された前記被筆記媒体に備えられる、前記格納指示記入欄への記入を検出する第１検出手段、及び、いずれかの前記選択記入欄が選択されたかを検出する第２検出手段と、前記第１検出手段で前記格納指示記入欄への記入が検出され、かつ、前記第２検出手段で前記いずれかの選択記入欄への選択記入が検出されたことを契機に、前記データ生成手段により生成され前記記憶手段に記憶された画像データを、前記第２検出手段で検出された前記選択記入欄に対応した前記複数の格納先のうちいずれか１つへ選択的に記憶するための選択用送信処理を行うように、前記通信手段を制御する送信制御手段と、を有し、前記保持手段は、前記選択記入欄及び前記格納指示記入欄をそれぞれ備えた複数の筆記領域に区分された前記被筆記媒体を保持し、前記第１検出手段は、前記保持手段に保持された前記被筆記媒体に備えられる、前記格納指示記入欄への記入を、各筆記領域ごとに検出し、前記第２検出手段は、前記保持手段に保持された前記被筆記媒体に備えられる、前記選択記入欄への選択記入を、各筆記領域ごとに検出し、前記送信制御手段は、前記画像データを前記選択記入欄に対応した１つの前記格納先に記憶するための前記選択用送信処理を、各筆記領域ごとに行うように、前記通信手段を制御することを特徴とする。
【０００７】
本願発明の電子筆記装置においては、操作者が筆記具を用いて筆記した内容を電子データ化することができる。すなわち、操作者が、所定の紙媒体などからなる被筆記媒体を保持手段に置いて、その被筆記媒体に対し筆記具を用いて所望の記載を行うと、筆記動作により移動する筆記具の複数の位置情報が位置取得手段によって取得される。そして、その取得された複数の位置情報を用いて、データ生成手段が上記被筆記媒体への記載に対応した画像データを生成する。この生成された画像データは記憶手段に一時的に記憶される。
【０００８】
ここで、本願発明では、上記のようにして記憶された、記載内容に対応した画像データを、外部記憶装置における所望の格納先に振り分けて格納することが可能である。すなわち、上記被筆記媒体には、外部記憶装置に備えられた複数の格納先を選択するための選択記入欄と、各格納先への格納指示を行うための格納指示記入欄とが設けられている。操作者は、上記のように保持手段に被筆記媒体が保持された状態で筆記を行った後、生成された画像データを保存したい格納先を選択記入欄で選択するとともに、格納指示記入欄での所定の記入により当該格納先への格納指示を行う。
【０００９】
すると、位置取得手段が取得する位置情報に基づき、第２検出手段が選択記入欄における上記格納先の選択記入を検出するとともに、第１検出手段が上記格納指示記入欄への記入を検出する。そして、第２検出手段及び第１検出手段の検出が行われたことを契機に送信制御手段が通信手段を制御することにより、上記記憶手段に記憶された画像データが無線通信により送信される。これにより、外部記憶装置に備えられた複数の格納先のうちの上記選択された格納先に、上記筆記内容に対応した画像データが自動的に振り分けられ、格納される。
【００１０】
以上のようにして、本願発明においては、操作者は、被筆記媒体に対し筆記具を用いて筆記したときの記載内容を、選択記入欄で選択した所望の格納先に確実に振り分けて格納することができる。これにより、操作者は、筆記内容を自分の意図する分類で容易に仕分けながら保存することができるので、利便性を向上することができる。
【発明の効果】
【００１１】
本発明によれば、操作者による筆記内容を、操作者の意図する分類で仕分けして保存することができ、利便性を向上することができる。
【図面の簡単な説明】
【００１２】
【図１】本発明の一実施形態の電子筆記装置を備えた手書き入力システムの全体構成を表すシステム構成図である。
【図２】電子筆記装置の電気的構成を表す機能ブロック図である。
【図３】ストロークデータを説明する説明図である。
【図４】紙媒体のフォーマット（様式）の例を表す説明図である。
【図５】ストロークデータがサーバの１つのフォルダへ振り分けられて保存される一例を表す説明図である。
【図６】ストロークデータがサーバの１つのフォルダへ振り分けられて保存される別の例を表す説明図である。
【図７】ＣＰＵの実行する制御手順を表すフローチャートである。
【図８】紙媒体が複数の筆記領域に区切られている変形例における、紙媒体のフォーマット（様式）の例を表す説明図である。
【図９】ストロークデータがサーバの各フォルダへ振り分けられて保存される例を表す説明図である。
【図１０】一部の筆記領域におけるチェックボックスのチェック漏れに対応した変形例を説明する説明図である。
【発明を実施するための形態】
【００１３】
以下、本発明の一実施形態を図面を参照しつつ説明する。
【００１４】
＜システム概略＞
図１に、本実施形態の電子筆記装置２を備えた手書き入力システム１を示す。なお、以下の説明では、図１の紙面の上側、下側、右側、左側、手前側、奥行き側を、それぞれ、電子筆記装置２の上側、下側、右側、左側、手前側、奥行き側と定義して説明する。
【００１５】
図１に示すように、手書き入力システム１は、電子筆記装置２と、いわゆる電磁誘導式の電子ペン３（筆記具）と、ディスプレイ４と、を備えている。
【００１６】
＜電子筆記装置＞
電子筆記装置２は、平面視で上下方向に長い薄型の直方体状の形状を備えている。電子筆記装置２の右上部には、種々の情報を表示可能な小型のディスプレイ２１が設けられている。ディスプレイ２１の左側には、ユーザが電子筆記装置２を操作するための入力部２２が設けられている。ディスプレイ２１及び入力部２２の下側に、電子筆記装置２の手前側の大部分を占めるように、凹部形状の載置部２４（保持手段）が設けられている。載置部２４には、紙媒体７０（後述の図４参照）が載置され、また当該載置部２４とほぼ同一の範囲となるように座標検出部２５が設けられている。座標検出部２５は、電子ペン３の位置を表す座標情報（例えば載置部２４の左上部を原点（０，０）とする。詳細は後述）を検出する。そして、載置部２４は、紙媒体７０を、この例では紙媒体７０の左上の隅部が上記原点に一致する姿勢で保持する。なお、電子筆記装置２は、この例では、例えば無線（又は有線でもよい）通信により、ネットワークＮＷを介し、外部記憶装置としてのサーバＳＶに接続されている。
【００１７】
＜電子ペン＞
以下の説明では、電子ペン３において、ペン先３１が設けられている方向を先端方向という。また、先端方向の反対方向を後端方向という。電子ペン３は、この例では、芯３７と、検出スイッチ３３と、ボタン型の電池３４と、コイル３５と、基板３６と、を備えている。芯３７は金属製であり、ペン先３１とインク収納部３２とで構成されている。また、芯３７は、電子ペン３の先端部の内部に設けられ、そのペン先３１が外部に突出している。インク収納部３２にはインクが収納され、当該インクはペン先３１に供給される。これにより、ユーザ（操作者）は、電子ペン３を使用して紙媒体７０に所望の文字や図形等を記載することができる。
【００１８】
芯３７の後端方向には、上記基板３６が設けられている。基板３６の先端部には検出スイッチ３３が実装され、基板３６の後端方向には上記電池３４が設けられている。電池３４は基板３６に接続されており、電池３４のマイナス側の電極は、基板３６上の配線を介し上記コイル３５に電気的に接続されている。また、電池３４のプラス側の電極は、基板３６上の配線を介し上記検出スイッチ３３に電気的に接続されている。検出スイッチ３３は、基板３６上の配線を介しコイル３５に電気的に接続されている。コイル３５は、電子ペン３の内部の先端部において芯３７の周囲に巻回されている。
【００１９】
＜電子ペンの座標情報の検出＞
ここで、芯３７は、図示しない弾性部材により常に先端方向に付勢されている。芯３７は、ユーザが紙媒体７０に文字等を記載する場合の押圧力によって、上記弾性部材の付勢力に抗して電子ペン３の内部にやや退入する。この退入によって、芯３７の後端部が検出スイッチ３３を押下し、検出スイッチ３３がオン状態になる。これによって、電池３４とコイル３５とが導通して電池３４からコイル３５に向かって電流が流れ、コイル３５に電流が流れることで磁界が発生する。
【００２０】
電子筆記装置２の座標検出部２５は、上記のようにしてコイル３５から発生する磁界を電磁誘導に基づき検出する。なお、この検出は公知の手法で足りるので、詳細な説明は省略する。この座標検出部２５の検出結果に基づき、ＣＰＵ２０１は、ユーザが電子ペン３を用いて紙媒体７０へ筆記動作を行ったときの電子ペン３の移動に対応する、複数の位置情報（すなわち、上記座標情報）を取得する。なお、前述したように、本実施形態では、座標検出部２５の左上部の座標（Ｘ，Ｙ）を原点（０，０）とし、右方向をＸ軸、下方向をＹ軸とする座標系を用いる。すなわち、Ｘ座標の値が座標検出部２５（載置部２４）における左右方向の位置を表し、Ｙ座標の値が上下方向の位置を表す。
【００２１】
＜ディスプレイ＞
なお、ディスプレイ４は、電子筆記装置２に接続されており、ユーザが電子筆記装置２の載置部２４に載置した紙媒体７０の外観に相当する画像データや、ユーザによる紙媒体７０への記載内容に相当する画像データ（ストロークデータの集合体）を表示することができる。
【００２２】
＜電子筆記装置の電気的構成＞
図２を参照して、電子筆記装置２の電気的構成について説明する。図２に示すように、電子筆記装置２は、電子筆記装置２の制御を行うＣＰＵ２０１と、ＲＯＭ２０２と、種々のデータが一時的に記憶されるＲＡＭ２０３（記憶手段）と、フラッシュメモリ２０４と、入力部２２と、駆動回路２０６，２０９，２１０と、前述のネットワークＮＷを介したサーバＳＶとの情報送受信の制御を行う通信制御部２０７（通信手段）と、を備えている。
【００２３】
ＲＯＭ２０２、ＲＡＭ２０３、及びフラッシュメモリ２０４は、ＣＰＵ２０１に電気的に接続されている。ＲＯＭ２０２は、プログラム記憶領域２０２１と、画像データ記憶領域２０２３とを備えている。プログラム記憶領域２０２１には、ＣＰＵ２０１が電子筆記装置２を制御するために実行する各種プログラムが記憶されている。画像データ記憶領域２０２３には、後述する紙媒体７０のフォーマット情報に対応した画像のデータが記憶されている。
【００２４】
フラッシュメモリ２０４は、座標情報記憶領域２０４１を備えている。座標情報記憶領域２０４１には、座標情報データテーブル５３が記憶される。
【００２５】
入力部２２及び駆動回路２０６，２０９，２１０は、ＣＰＵ２０１と電気的に接続されている。駆動回路２０６，２０９は、それぞれ、ディスプレイ２１及び座標検出部２５を駆動するための電子回路である。駆動回路２１０は、ディスプレイ４に画像を表示させるための電子回路である。
【００２６】
＜ストロークデータの生成＞
次に、ストロークデータについて説明する。ストロークデータは、上記座標検出部２５の検出結果に基づきＣＰＵ２０１で取得された複数の座標情報からなる、ペン位置データ列である。図３（ａ）及び図３（ｂ）には、２つのストロークデータ「ａ」「ｂ」の例を示している。
【００２７】
図３（ａ）及び図３（ｂ）において、第１ストロークデータ「ａ」は、電子ペン３による文字「ａ」の書き始めから書き終わりまでの一筆書き部分の軌跡を表すデータであり、時系列に沿って、ペン位置番号Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）を含む。また、第２ストロークデータ「ｂ」は、電子ペン３による文字「ｂ」の書き始めから書き終わりまでの一筆書き部分の軌跡を表すデータであり、時系列に沿って、ペン位置番号Ｔ１２，Ｔ１３，・・，Ｔ２１それぞれに対応した、１０個の座標情報（Ｘ１２，Ｙ１２），（Ｘ１３，Ｙ１３），・・（Ｘ２１，Ｙ２１）を含む。このようにして、ＣＰＵ２０１は、座標検出部２５の検出結果に応じた複数の座標情報を用いて、ユーザが電子ペン３を用いて紙媒体７０へ記載した内容に対応した、ストロークデータを生成する。なお、このようにしてそれぞれ生成された複数のストロークデータの集合体が、各請求項記載の画像データに相当している。
【００２８】
＜本実施形態の特徴＞
以上の基本構成において、本実施形態の特徴は、ユーザが紙媒体７０のチェックボックス（後述）にチェックをすることにより、電子ペン３による紙媒体７０への実際の記載に対応した上記ストロークデータが、サーバＳＶの複数のフォルダ（格納先）のうちユーザの意図するフォルダに自動的に振り分けられ、保存されることにある。以下、その詳細を順を追って説明する。
【００２９】
図４に、本実施形態で用いられる紙媒体７０の一例を示す。図示のように、この例では、紙媒体７０（被筆記媒体）には、ユーザが所望の文字・図形等（以下適宜、単に「書き込み文字」という）Ｒを自由に記載可能なフリー書き込み領域７１と、紙媒体７０の上端部近傍に位置する複数の（この例では４つの）チェックボックス７２ａ，７２ｂ，７２ｃ，７２ｄと、紙媒体７０の下端部近傍に位置する少なくとも１つの（この例では２つの）チェックボックス７３ａ，７３ｂとが、設けられている。なお、図中には、前述のＸ座標及びＹ座標の値を表す目盛表記を（説明の便宜上）併せて示している。
【００３０】
この例では、ユーザがストロークデータの格納先として使用可能なフォルダとして、サーバＳＶ内に、「メモ」フォルダ、「ＴＯＤＯ」フォルダ、「予定」フォルダ、「その他」フォルダ、の合計４つのフォルダが設けられている（後述の図５参照）。紙媒体７０は、これに対応したフォーマットに予め設定されており、上記のように、「メモ」チェックボックス７２ａと、「ＴＯＤＯ」チェックボックス７２ｂと、「予定」チェックボックス７２ｃと、「その他」チェックボックス７２ｄと、がそれぞれ設けられている。
【００３１】
図示のように、「メモ」チェックボックス７２ａは、紙媒体７０のうち２０≦Ｘ≦３５かつ１０≦Ｙ≦２５の座標値範囲に対応する部位に設けられており、「ＴＯＤＯ」チェックボックス７２ｂは、紙媒体７０のうち６０≦Ｘ≦７５かつ１０≦Ｙ≦２５の座標値範囲に対応する部位に設けられており、「予定」チェックボックス７２ｃは、紙媒体７０のうち１００≦Ｘ≦１１５かつ１０≦Ｙ≦２５の座標値範囲に対応する部位に設けられており、「その他」チェックボックス７２ｄは、紙媒体７０のうち１４０≦Ｘ≦１５５かつ１０≦Ｙ≦２５の座標値範囲に対応する部位に設けられている。
【００３２】
ユーザが、紙媒体７０を電子筆記装置２の載置部２４に載置した状態で、電子ペン３を用いて紙媒体７０の上記チェックボックス７２ａ〜ｄのいずれかにチェック「レ」を記入すると、そのチェック動作に対応したストロークデータが、ＣＰＵ２０１によって、上記各チェックボックスに対応した座標値範囲のいずれかにおいて取得される。このとき、前述したように、画像データ記憶領域２０２３には、図示のような紙媒体７０のフォーマット（様式）を表すフォーマット情報が、予め記憶されている。したがって、ＣＰＵ２０１は、紙媒体７０において当該座標値範囲にチェックボックスが配置され、かつ当該チェックボックスにユーザによってチェックがなされたことを認識する。ユーザは、これらチェックボックス７２ａ，７２ｂ，７２ｃ，７２ｄのいずれかにチェックすることによって、フリー書き込み領域７１への書き込み文字Ｒに対応したストロークデータのサーバＳＶでの格納先を、選択して指定することができる。なお、これらチェックボックス７２ａ〜７２ｄが各請求項記載の選択記入欄として機能する。
【００３３】
一方、「保存」チェックボックス７３ａは、この例では、紙媒体７０のうち１４０≦Ｘ≦１５５かつ３７５≦Ｙ≦３９０の座標値範囲に対応する部位に設けられており、「削除」チェックボックス７３ｂは、紙媒体７０のうち１７５≦Ｘ≦１９０かつ３７５≦Ｙ≦３９０の座標値範囲に対応する部位に設けられている。ユーザが、電子ペン３を用いてこれらチェックボックス７３ａ，７３ｂのいずれかにチェック「レ」をすると、そのチェック動作に対応したストロークデータが、ＣＰＵ２０１によって、上記各チェックボックスに対応した座標値範囲のいずれかにおいて取得される。上記同様、ＣＰＵ２０１は、予め記憶されたフォーマット情報を参照して、当該チェックボックスにチェックされたことを認識する。ユーザは、「保存」チェックボックス７３ａにチェックすることによって、フリー書き込み領域７１への書き込み文字Ｒに対応したストロークデータの、上記チェック７２ａ〜７２ｄにより指定したサーバＳＶの格納先（フォルダ）への送信及び保存の実行を指示することができる。なお、この「保存」チェックボックス７３ａが各請求項記載の格納指示記入欄として機能する。
【００３４】
図４に示したように、ユーザが、例えば上記チェックボックス７２ａ〜７２ｄのうち「予定」チェックボックス７２ｃにチェックを行い、かつ、「保存」チェックボックス７３ａにチェックを行う。すると、ＣＰＵ２０１の制御によって、図５に示すように、上記書き込み文字Ｒに対応したストロークデータが、サーバＳＶへ送信されると共に、当該サーバＳＶの「メモ」フォルダＦ１、「ＴＯＤＯ」フォルダＦ２、「予定」フォルダＦ３、及び「その他」フォルダＦ４、のうちの上記選択された「予定」フォルダＦ３へと自動的に振り分けられ、保存される。
【００３５】
あるいは、ユーザが、例えば「ＴＯＤＯ」チェックボックス７２ｂにチェックを行い、かつ、「保存」チェックボックス７３ａにチェックを行うと、ＣＰＵ２０１の制御によって、図６に示すように、上記書き込み文字Ｒに対応したストロークデータが、サーバＳＶへ送信されると共に、当該サーバＳＶの「ＴＯＤＯ」フォルダＦ２へと自動的に振り分けられ、保存される。
【００３６】
なお、図４に示した紙媒体７０に設けられた「削除」チェックボックス７３ｂは、ユーザが書き損じ等をしてストロークデータを削除したい場合に用いるチェックボックスである。この「削除」チェックボックス７３ｂをユーザがチェックすることにより、書き込み文字Ｒに対応したストロークデータは、サーバＳＶへ送信されることなく、削除処理される。具体的には、この例では、電子筆記装置２の例えばＲＡＭ２０３（又はフラッシュメモリ２０４の座標情報記憶領域２０４１等でもよい）に設けた、「ゴミ箱」フォルダｆ１へと格納される。なお、上記「削除」チェックボックス７３ｂが、各請求項記載の削除指示記入欄として機能する。
【００３７】
＜制御フロー＞
上記を実現するために、電子筆記装置２のＣＰＵ２０１が実行する制御手順を、図７により説明する。図７において、このフローは、例えば、電子筆記装置２の電源がオンされることを契機に開始される。
【００３８】
まず、ステップＳ１０において、ＣＰＵ２０１は、前述のようにしてユーザが筆記を行ったときの座標検出部２５での検出結果に基づき、電子ペン３の座標情報を取得する。この手順が、各請求項記載の位置取得手段として機能する。
【００３９】
その後、ステップＳ２０に移り、ＣＰＵ２０１は、ステップＳ１０で取得された座標情報に基づき、前述のようにして、ユーザの書き込み文字Ｒの内容に対応するストロークデータを生成する。この手順が、各請求項記載のデータ生成手段として機能する。なお、生成されたストロークデータは、上記ＲＡＭ２０３に一時的に記憶される。
【００４０】
そして、ステップＳ３０において、ＣＰＵ２０１は、上記ステップＳ１０で取得された座標情報と上記ステップＳ２０で生成されたストロークデータとに基づき、紙媒体７０に備えられた「削除」チェックボックス７３ｂにチェックがされたかどうかを判定する。「削除」チェックボックス７３ｂにチェックがされていた場合には判定が満たされ（Ｓ３０：Ｙｅｓ）、ステップＳ４０に移る。なお、このステップＳ３０が、各請求項記載の第３検出手段として機能する。
【００４１】
ステップＳ４０では、ＣＰＵ２０１は、ステップＳ２０でＲＡＭ２０３に記憶されたストロークデータに対し削除処理を行う。例えば、前述のように「ゴミ箱」フォルダｆ１へ移す等の処理が行われる。このステップＳ４０が、各請求項記載の消去処理手段として機能する。その後、このフローを終了する。
【００４２】
一方、ステップＳ３０において、「削除」チェックボックス７３ｂにチェックがされていなかった場合にはステップＳ３０の判定が満たされず（Ｓ３０：Ｎｏ）、ステップＳ５０に移る。
【００４３】
ステップＳ５０では、ＣＰＵ２０１は、上記ステップＳ１０で取得された座標情報と上記ステップＳ２０で生成されたストロークデータとに基づき、紙媒体７０に備えられた「メモ」チェックボックス７２ａ、「ＴＯＤＯ」チェックボックス７２ｂ、「予定」チェックボックス７２ｃ、「その他」チェックボックス７２ｄのいずれか１つのチェックがされたかどうかを判定する。これらチェックボックス７２ａ〜７２ｄのいずれにもチェックがされていなかった場合には判定が満たされず（Ｓ５０：Ｎｏ）、ステップＳ１０に戻って同様の手順を繰り返す。チェックボックス７２ａ〜７２ｄのいずれかにチェックがされていた場合にはステップＳ５０の判定が満たされ（Ｓ５０：Ｙｅｓ）、ステップＳ６０に移る。なお、このステップＳ５０が、各請求項記載の第２検出手段として機能する。
【００４４】
ステップＳ６０では、ＣＰＵ２０１は、上記ステップＳ１０で取得された座標情報と上記ステップＳ２０で生成されたストロークデータとに基づき、紙媒体７０に備えられた「保存」チェックボックス７３ａにチェックがされたかどうかを判定する。「保存」チェックボックス７３ａにチェックがされていなかった場合には判定が満たされず（Ｓ６０：Ｎｏ）、ステップＳ１０に戻り同様の手順を繰り返す。「保存」チェックボックス７３ａにチェックがされていた場合にはステップＳ６０の判定が満たされ（Ｓ６０：Ｙｅｓ）、ステップＳ７０に移る。なお、このステップＳ６０が、各請求項記載の第１検出手段として機能する。
【００４５】
ステップＳ７０では、ＣＰＵ２０１は、通信制御部２０７を制御し、ネットワークＮＷを介し、サーバＳＶの上記ステップＳ５０で選択された１つのフォルダ（「メモ」フォルダＦ１、「ＴＯＤＯ」フォルダＦ２、「予定」フォルダＦ３、「その他」フォルダＦ４のいずれか）にアクセスし、上記ステップＳ２０でＲＡＭ２０３に記憶されたストロークデータを、当該フォルダに格納して保存する。このステップＳ７０が、各請求項記載の送信制御手段として機能する。その後、このフローを終了する。
【００４６】
なお、上記では、ＣＰＵ２０１が、ステップＳ５０においてチェックボックス７２ａ〜７２ｄのいずれかのチェックを確認した後にステップＳ６０で「保存」チェックボックス７３ａのチェックを確認できたときに、ステップＳ７０でストロークデータを送信したが、これに限られない。すなわち、上記とは逆に、「保存」チェックボックス７３ａのチェックを確認した後にチェックボックス７２ａ〜７２ｄのいずれかのチェックを確認できたときに、ストロークデータを送信するようにしてもよい。いずれにしても、それら２つのチェックが行われていることを契機に、ステップＳ７０におけるストロークデータの送信が行われれば足りる。
【００４７】
以上説明したように、本実施形態の電子筆記装置２においては、ユーザが電子ペン３を用いて筆記した内容を電子データ化することができる。すなわち、ユーザが、紙媒体７０を載置部２４にセットして、その紙媒体７０に対し電子ペン３を用いて所望の記載を行うと、筆記動作により移動する電子ペン３の複数の座標情報が取得される。その取得された複数の座標情報により、上記紙媒体７０への記載（書き込み文字Ｒ）に対応したストロークが生成される。この生成されたストロークデータはＲＡＭ２０３に一時的に記憶される。
【００４８】
ここで、紙媒体７０には、サーバＳＶに備えられた複数（上記の例では４つ）のフォルダＦ１〜Ｆ４を選択するための「メモ」チェックボックス７２ａと、「ＴＯＤＯ」チェックボックス７２ｂと、「予定」チェックボックス７２ｃと、「その他」チェックボックス７２ｄと、各フォルダＦ１〜Ｆ４への格納指示を行うための「保存」チェックボックス７３ａとが設けられている。ユーザは、上記のように載置部２４に紙媒体７０が保持された状態で筆記を行った後、生成されたストロークデータを保存したいフォルダを上記チェックボックス７２ａ〜７２ｄのいずれかへのチェック（「記入」に相当）で選択するとともに、「保存」チェックボックス７３ａをチェックする（「記入」に相当）により、当該フォルダへの格納指示を行う。
【００４９】
これにより、上記チェックボックス７２ａ〜７２ｄのいずれかのチェックと「保存」チェックボックス７３ａのチェックとを契機に、上記ＲＡＭ２０３に記憶されたストロークデータが無線通信によりサーバＳＶへ送信される。そして、サーバＳＶに備えられた複数のフォルダＦ１〜Ｆ４のうちの上記選択されたフォルダに、上記ストロークデータが自動的に振り分けられ、格納される。
【００５０】
以上のようにして、本実施形態においては、ユーザは、紙媒体７０に対し電子ペン３を用いて筆記したときの記載内容を、上記チェックボックス７２ａ〜７２ｄで選択した所望のフォルダに確実に振り分けて格納することができる。これにより、ユーザは、筆記内容を自分の意図する分類で容易に仕分けながら保存することができるので、利便性を向上することができる。
【００５１】
また、本実施形態では特に、紙媒体７０に「削除」チェックボックス７３ｂを備えている。これにより、例えばユーザがうっかり書き損じてしまった等の場合において、当該書き損じた記載内容に対応したストロークデータをサーバＳＶに送信することなく削除することができる。この結果、さらにユーザの利便性を向上することができる。
【００５２】
なお、本発明は、上記実施形態に限られるものではなく、その趣旨及び技術的思想を逸脱しない範囲内で種々の変形が可能である。以下、そのような変形例を順を追って説明する。なお、上記実施形態と同等の部分には同一の符号を付し、適宜説明を省略又は簡略化する。
【００５３】
（１）紙媒体が複数の筆記領域に区切られている場合
図８に、この変形例で用いられる紙媒体７０の一例を示す。図示のように、この例では、紙媒体７０（被筆記媒体）は、複数（この例では４つ）の筆記領域７０Ａ，７０Ｂ，７０Ｃ，７０Ｄに区分されている。各筆記領域７０Ａ〜７０Ｄのそれぞれは、前述と同様、書き込み文字Ｒを自由に記載可能なフリー書き込み領域７１と、上記チェックボックス７２ａ，７２ｂ，７２ｃ，７２ｄと、上記チェックボックス７３ａ，７３ｂと、を備えている。なお、図中には、前述の図４と同様、Ｘ座標及びＹ座標の値を表す目盛表記を（説明の便宜上）併せて示している。
【００５４】
筆記領域７０Ａにおいては、図示のように、「メモ」チェックボックス７２ａは２０≦Ｘ≦３５かつ２０≦Ｙ≦３５の座標値範囲に対応する部位に設けられており、「ＴＯＤＯ」チェックボックス７２ｂは、２０≦Ｘ≦３５かつ４０≦Ｙ≦５５の座標値範囲に対応する部位に設けられており、「予定」チェックボックス７２ｃは、２０≦Ｘ≦３５かつ６０≦Ｙ≦７５の座標値範囲に対応する部位に設けられており、「その他」チェックボックス７２ｄは、２０≦Ｘ≦３５かつ８０≦Ｙ≦９５の座標値範囲に対応する部位に設けられている。また、「保存」チェックボックス７３ａは、この例では、１５０≦Ｘ≦１６５かつ８０≦Ｙ≦９５の座標値範囲に対応する部位に設けられており、「削除」チェックボックス７３ｂは、１８０≦Ｘ≦１９５かつ８０≦Ｙ≦９５の座標値範囲に対応する部位に設けられている。
【００５５】
同様に、筆記領域７０Ｂにおいては、図示のように、「メモ」チェックボックス７２ａは２０≦Ｘ≦３５かつ１２０≦Ｙ≦１３５の座標値範囲に対応する部位に設けられており、「ＴＯＤＯ」チェックボックス７２ｂは、２０≦Ｘ≦３５かつ１４０≦Ｙ≦１５５の座標値範囲に対応する部位に設けられており、「予定」チェックボックス７２ｃは、２０≦Ｘ≦３５かつ１６０≦Ｙ≦１７５の座標値範囲に対応する部位に設けられており、「その他」チェックボックス７２ｄは、２０≦Ｘ≦３５かつ１８０≦Ｙ≦１９５の座標値範囲に対応する部位に設けられている。また、「保存」チェックボックス７３ａは、１５０≦Ｘ≦１６５かつ１８０≦Ｙ≦１９５の座標値範囲に対応する部位に設けられており、「削除」チェックボックス７３ｂは、１８０≦Ｘ≦１９５かつ１８０≦Ｙ≦１９５の座標値範囲に対応する部位に設けられている。
【００５６】
同様に、筆記領域７０Ｃにおいては、図示のように、「メモ」チェックボックス７２ａは２０≦Ｘ≦３５かつ２２０≦Ｙ≦２３５の座標値範囲に対応する部位に設けられており、「ＴＯＤＯ」チェックボックス７２ｂは、２０≦Ｘ≦３５かつ２４０≦Ｙ≦２５５の座標値範囲に対応する部位に設けられており、「予定」チェックボックス７２ｃは、２０≦Ｘ≦３５かつ２６０≦Ｙ≦２７５の座標値範囲に対応する部位に設けられており、「その他」チェックボックス７２ｄは、２０≦Ｘ≦３５かつ２８０≦Ｙ≦２９５の座標値範囲に対応する部位に設けられている。また、「保存」チェックボックス７３ａは、１５０≦Ｘ≦１６５かつ２８０≦Ｙ≦２９５の座標値範囲に対応する部位に設けられており、「削除」チェックボックス７３ｂは、１８０≦Ｘ≦１９５かつ２８０≦Ｙ≦２９５の座標値範囲に対応する部位に設けられている。
【００５７】
同様に、筆記領域７０Ｄにおいては、図示のように、「メモ」チェックボックス７２ａは２０≦Ｘ≦３５かつ３２０≦Ｙ≦３３５の座標値範囲に対応する部位に設けられており、「ＴＯＤＯ」チェックボックス７２ｂは、２０≦Ｘ≦３５かつ３４０≦Ｙ≦３５５の座標値範囲に対応する部位に設けられており、「予定」チェックボックス７２ｃは、２０≦Ｘ≦３５かつ３６０≦Ｙ≦３７５の座標値範囲に対応する部位に設けられており、「その他」チェックボックス７２ｄは、２０≦Ｘ≦３５かつ３８０≦Ｙ≦３９５の座標値範囲に対応する部位に設けられている。また、「保存」チェックボックス７３ａは、１５０≦Ｘ≦１６５かつ３８０≦Ｙ≦３９５の座標値範囲に対応する部位に設けられており、「削除」チェックボックス７３ｂは、１８０≦Ｘ≦１９５かつ３８０≦Ｙ≦３９５の座標値範囲に対応する部位に設けられている。
【００５８】
本変形例においても、上記実施形態と同様、画像データ記憶領域２０２３に、図８に示す紙媒体７０のフォーマット（様式）を表すフォーマット情報が、予め記憶されている。これによりユーザが、紙媒体７０を電子筆記装置２の載置部２４に載置した状態で、各筆記領域７０Ａ〜７０Ｄの上記チェックボックス７２ａ〜ｄのいずれかにチェック「レ」を記入すると、ＣＰＵ２０１は、当該いずれかのチェックボックスにユーザによってチェックがなされたことを、各領域７０Ａ，７０Ｂ，７０Ｃ，７０Ｄごとに区別して認識することができる。また「保存」チェックボックス７３ａや「削除」チェックボックス７３ｂについても同様に、ＣＰＵ２０１は、各チェックボックスにユーザによってチェックがなされたことを、各領域７０Ａ，７０Ｂ，７０Ｃ，７０Ｄごとに区別して認識することができる。
【００５９】
これにより、ユーザは、各筆記領域７０Ａ〜７０Ｄにおいて、これらチェックボックス７２ａ，７２ｂ，７２ｃ，７２ｄのいずれかにチェックし、「保存」チェックボックス７３ａをチェックすることによって、フリー書き込み領域７１への書き込み文字Ｒに対応したストロークデータのサーバＳＶでの格納先を、各筆記領域７０Ａ〜７０Ｄごとに個別に指定することができる。あるいは、ユーザは、各筆記領域７０Ａ〜７０Ｄにおいて「削除」チェックボックス７３ｂをチェックすることで、フリー書き込み領域７１への書き込み文字Ｒに対応したストロークデータを、サーバＳＶへ送信することなく、各筆記領域７０Ａ〜７０Ｄごとに個別に削除処理することができる。
【００６０】
すなわち、図９に示す例では、筆記領域７０Ａにおいては「予定」チェックボックス７２ｃと「保存」チェックボックス７３ａとにチェックがされていることにより、ＣＰＵ２０１の制御によって、筆記領域７０Ａの書き込み文字Ｒ１に対応したストロークデータがサーバＳＶへ送信されると共に、当該サーバＳＶの「予定」フォルダＦ３へと自動的に振り分けられ、保存される。
【００６１】
また、筆記領域７０Ｂにおいては「ＴＯＤＯ」チェックボックス７２ｂと「保存」チェックボックス７３ａとにチェックがされていることにより、ＣＰＵ２０１の制御によって、筆記領域７０Ｂの書き込み文字Ｒ２に対応したストロークデータがサーバＳＶへ送信されると共に、当該サーバＳＶの「ＴＯＤＯ」フォルダＦ２へと自動的に振り分けられ、保存される。
【００６２】
また、筆記領域７０Ｃにおいては「削除」チェックボックス７３ｂにチェックがされていることにより、ＣＰＵ２０１の制御によって、筆記領域７０Ｃの書き込み文字Ｒ３に対応したストロークデータは、サーバＳＶへ送信されることなく電子筆記装置２の「ゴミ箱」フォルダｆ１へと自動的に振り分けられる。
【００６３】
以上のように、本変形例においては、紙媒体７０に複数の筆記領域７０Ａ〜７０Ｄが設けられ、ユーザは、各筆記領域７０Ａ〜７０Ｄごとに記載内容を所望のフォルダＦ１〜Ｆ４に振り分け、格納することができる。これにより、さらに利便性を向上することができる。
【００６４】
（２）一部の筆記領域におけるチェックボックスのチェック漏れに対応した場合
すなわち、上記（１）の変形例においては、図９に示したように、ユーザが書き込み文字Ｒ１，Ｒ２のサーバＳＶへの格納を意図する各筆記領域７０Ａ，７０Ｂにおいては、チェックボックス７２ａ〜７２ｄのいずれかのチェックと、「保存」チェックボックス７３ａのチェックとの両方が（忘れずに）行われていた。しかしながら、ユーザが、うっかりそのようなチェックを忘れる場合も考えられる。
【００６５】
例えば図１０（ａ）に示す例では、筆記領域７０Ｂにおいては「ＴＯＤＯ」チェックボックス７２ｂと「保存」チェックボックス７３ａとにチェックがされている一方、その上部の筆記領域７０Ａにおいては、「予定」チェックボックス７２ｃにチェックがされているものの、「保存」チェックボックス７３ａへのチェックがなされていない。このような場合は（後述の図１０（ｂ）の場合と異なり）筆記領域７０Ａ，７０Ｂそれぞれにおいて互いに異なる「予定」チェックボックス７２ｃと「ＴＯＤＯ」チェックボックス７２ｂとがチェックされていることから、ＣＰＵ２０１は、筆記領域７０Ａにおいて、ユーザが単に「保存」チェックボックス７３ａのチェックを忘れた状態である、とみなす。
【００６６】
この結果、ＣＰＵ２０１の制御によって、筆記領域７０Ａの書き込み文字Ｒ１に対応したストロークデータはサーバＳＶの「予定」フォルダＦ３へと自動的に振り分けられ保存されるとともに、筆記領域７０Ｂの書き込み文字Ｒ２に対応したストロークデータはサーバＳＶの「ＴＯＤＯ」フォルダＦ２へと自動的に振り分けられ保存される。
【００６７】
一方、図１０（ｂ）に示す例では、筆記領域７０Ａにおいては「予定」チェックボックス７２ｃにチェックがされている一方「保存」チェックボックス７３ａへのチェックがなされておらず、筆記領域７０Ｂにおいては、「保存」チェックボックス７３ａへチェックがされているものの、格納先のフォルダの指定を表すチェックボックス７２ａ〜７２ｄのいずれにもチェックがなされていない。このような場合は、ＣＰＵ２０１は、ユーザが筆記領域７０Ａ，７０Ｂを合わせて全体として１つの筆記領域であると感覚的に捉えた状態である、とみなす。
【００６８】
この結果、ＣＰＵ２０１の制御によって、筆記領域７０Ａの書き込み文字Ｒ１と筆記領域７０Ａの書き込み文字Ｒ２との両方に対応した（例えば一体的に形成された）ストロークデータが、筆記領域７０Ａにおける「予定」チェックボックス７２ｃのチェックに従って、サーバＳＶの「予定」フォルダＦ３へと自動的に振り分けられ保存される。
【００６９】
上記図１０（ａ）及び図１０（ｂ）に示した変形例においては、ユーザが１つの筆記領域においてチェックボックスへのチェックを入れなかった場合であっても、隣接する他の筆記領域へのチェックボックスへのチェック結果から、当該チェックを入れなかった筆記領域における書き込み文字Ｒに対し行うべき処理を推定し、自動的に最適な処理を行うことができる。
【００７０】
（３）その他
以上においては、紙媒体７０のフォーマットが、図４に示す様式、若しくは、図８に示す様式に一意的に定まっており、当該フォーマットに対応したフォーマット情報を用いてＣＰＵ２０１がチェックボックスにおけるチェックの有無を判定する場合を例にとって説明したが、これに限られない。例えば、電子筆記装置２において、レーザ加工又は印刷によって紙媒体７０に形成されたフォーマット情報を、カメラシステム等が光学的に読み取り、その読み取り結果に基づき、ＣＰＵ２０１が紙媒体７０のフォーマットをその都度特定するようにしてもよい。この場合は、ユーザは、複数のフォーマットの紙媒体７０を混在させて利用することができる。
【００７１】
また、以上においては、電子ペン３からの磁界を座標検出部２５で検出することによりユーザの筆記動作による電子ペン３の移動を検出したが、これに限られない。すなわち、ユーザの筆記動作時における電子ペン３の先端の動きを、超音波や赤外線やカメラ撮像結果を用いて検知する方式を用いてもよい。また、電子筆記装置２の載置部２４に公知の感圧手段を設け、ユーザの筆記動作時において電子ペン３の先端が紙媒体７０を押圧する力を上記感圧手段で検出することにより、電子ペン３の先端の動きを検出してもよい。この場合には、電子ペン３として、上記のような磁界を発生するためのコイル３５を備えたペンではなく、通常のボールペンなどの汎用のペンを用いることができる。
【００７２】
また、以上においては、チェックボックス７２ａ〜７２ｄのいずれかへのチェックと、「保存」チェックボックス７３ａへのチェックとを契機に、ＣＰＵ２０１が、対応する書き込み文字ＲをサーバＳＶへ送信してフォルダＦ１〜Ｆ４のいずれかに格納したが、これに限られない。すなわち、上記フォルダＦ１〜Ｆ４のようなユーザの意図する分類の複数のフォルダを、電子筆記装置２の内部（例えば上記フラッシュメモリ２０４の座標情報記憶領域２０４１等）に設け、上記同様の契機により、当該電子筆記装置２の内部の複数のフォルダに自動的に仕分けて格納するようにしてもよい。さらにはその電子筆記装置２の内部の複数のフォルダに一旦記憶させておき、その後、何らかの契機により、サーバＳＶの上記フォルダＦ１〜Ｆ４へと出力して格納するようにしてもよい。この場合、一旦記憶させる複数のフォルダを、電子筆記装置２の外部の、別途のＰＣ端末や携帯端末やスマートフォン等に設けてもよい。
【００７３】
なお、以上において、図２に示す矢印は信号の流れの一例を示すものであり、信号の流れ方向を限定するものではない。
【００７４】
また、図７に示すフローチャートは本発明を上記フローに示す手順に限定するものではなく、発明の趣旨及び技術的思想を逸脱しない範囲内で手順の追加・削除又は順番の変更等をしてもよい。
【００７５】
また、以上既に述べた以外にも、上記実施形態や各変形例による手法を適宜組み合わせて利用しても良い。
【００７６】
その他、一々例示はしないが、本発明は、その趣旨を逸脱しない範囲内において、種々の変更が加えられて実施されるものである。
【符号の説明】
【００７７】
２                電子筆記装置
３                電子ペン（筆記具）
２４              載置部（保持手段）
７０              紙媒体（被筆記媒体）
７２ａ            「メモ」チェックボックス（選択記入欄）
７２ｂ            「ＴＯＤＯ」チェックボックス（選択記入欄）
７２ｃ            「予定」チェックボックス（選択記入欄）
７２ｄ            「その他」チェックボックス（選択記入欄）
７３ａ            「保存」チェックボックス（格納指示記入欄）
７３ｂ            「削除」チェックボックス（削除指示記入欄）
２０３            ＲＡＭ（記憶手段）
２０７            通信制御部（通信手段）
Ｆ１〜４          フォルダ（格納先）
ＳＶ              サーバ（外部記憶装置）
【図１】
0005790931.tif 000002
【図２】
0005790931.tif 000003
【図３】
0005790931.tif 000004
【図４】
0005790931.tif 000005
【図５】
0005790931.tif 000006
【図６】
0005790931.tif 000007
【図７】
0005790931.tif 000008
【図８】
0005790931.tif 000009
【図９】
0005790931.tif 000010
【図１０】
0005790931.tif 000011